(57)【特許請求の範囲】
【請求項１】
口腔に作用する機能部品と、
前記機能部品との結合および分離が可能な本体ケースと、前記本体ケースと結合し、使用時に把持される把持ケースとを含む装置本体と、
前記本体ケースに設けられる第１の嵌合部分、および、前記機能部品に設けられる第２の嵌合部分を含み、前記第１の嵌合部分と前記第２の嵌合部分との結合および分離が可能であり、前記第１の嵌合部分と前記第２の嵌合部分との結合により前記本体ケースと前記機能部品との相対的な移動および回転を規制し、前記装置本体の長手方向における前記第１の嵌合部分と前記第２の嵌合部分との相対的な移動だけにより前記本体ケースと前記機能部品とを結合または分離する部品結合構造と、
前記本体ケースと前記把持ケースとの相対的な回転を許容し、その回転に応じて電源をオンまたはオフする把持結合構造とを備え、
前記本体ケースは、前記把持ケースから突出する上側の部分、および、前記把持ケース内に配置される下側の部分を含むインナーケース、ならびに、前記上側の部分を覆う上部結合部分を含むアウターケースを備え、
前記機能部品は前記上部結合部分に取り付け可能であり、前記アウターケースとは異なる構造を備える第２のアウターケースとの結合および分離が可能な回転結合構造を含み、
前記回転結合構造は前記機能部品の長手方向に沿う回転軸まわりで前記機能部品と前記第２のアウターケースとを相対的に回転させることにより前記機能部品と前記第２のアウターケースとの結合および分離が可能である
口腔衛生装置。
【請求項２】
前記機能部品は前記上部結合部分を挿入可能な開口部分を含み、
前記アウターケースは、前記上部結合部分の下方に設けられ、前記上部結合部分よりも太く、前記上側の部分を覆う中間結合部分をさらに含み、
前記第１の嵌合部分は前記上部結合部分のうちの前記中間結合部分寄りの部分に設けられ、
前記第２の嵌合部分は前記機能部品のうちの前記開口部分寄りの部分に設けられる
請求項１に記載の口腔衛生装置。
【請求項３】
前記上部結合部分は、前記本体ケースの長手方向における前記上部結合部分の中間部分に設けられ、前記本体ケースの長手方向に延びる案内溝を含み、
前記機能部品は前記案内溝に挿入可能な凸部を含む
請求項１または２に記載の口腔衛生装置。
【請求項４】
前記機能部品を動作させるアクチュエーターをさらに備え、
前記把持結合構造は前記アクチュエーターの電源をオンまたはオフする
請求項１〜３のいずれか一項に記載の口腔衛生装置。
【請求項５】
前記装置本体に着脱可能であり、前記機能部品を覆うキャップをさらに備える
請求項１〜４のいずれか一項に記載の口腔衛生装置。
【請求項６】
前記口腔衛生装置は電動歯ブラシであり、
前記機能部品は前記装置本体との結合および分離が可能な歯ブラシ部品である
請求項１〜５のいずれか一項に記載の口腔衛生装置。
【発明の詳細な説明】
【技術分野】
【０００１】
本発明は、口腔に作用する機能部品と、機能部品を支持する装置本体とを含む口腔衛生装置に関する。
【背景技術】
【０００２】
特許文献１は、口腔衛生装置の一例として電動歯ブラシを開示する。この電動歯ブラシは、本体ケース、把持ケース、歯ブラシ部品（機能部品）、キャップ、および電動モーターを有する。本体ケースおよび歯ブラシ部品は、互いに結合および分離が可能な構造を有する。
【先行技術文献】
【特許文献】
【０００３】
【特許文献１】特開２０１１−１３０９７１号公報
【発明の概要】
【発明が解決しようとする課題】
【０００４】
上記電動歯ブラシは、本体ケースおよび歯ブラシ部品を互いに結合および分離するための構造として、本体ケースの挿入部分を歯ブラシ部品内の空間に挿入し、その状態において歯ブラシ部品を本体ケースに対して回転させる構造を有する。すなわち、本体ケースに歯ブラシ部品を結合するとき、歯ブラシ部品内に本体ケースの一部分を挿入する動作と、歯ブラシ部品を本体ケースに対して回転させる動作とを行う必要がある。このため、本体ケースおよび歯ブラシ部品の結合および分離の作業について、使用者に煩わしさを感じさせるおそれがある。なお、ここでは電動歯ブラシの課題について言及したが、装置本体および機能部品の結合および分離が可能な構造を有する他の口腔衛生装置も同様の課題を有する。
【０００５】
本発明の目的は装置本体および機能部品の結合および分離に関する作業性の向上に貢献可能な口腔衛生装置を提供することである。
【課題を解決するための手段】
【０００６】
本発明に従う口腔衛生装置の一形態は、  口腔に作用する機能部品と、前記機能部品との結合および分離が可能な本体ケースと、前記本体ケースと結合し、使用時に把持される把持ケースとを含む装置本体と、前記本体ケースに設けられる第１の嵌合部分、および、前記機能部品に設けられる第２の嵌合部分を含み、前記第１の嵌合部分と前記第２の嵌合部分との結合および分離が可能であり、前記第１の嵌合部分と前記第２の嵌合部分との結合により前記本体ケースと前記機能部品との相対的な移動および回転を規制し、前記装置本体の長手方向における前記第１の嵌合部分と前記第２の嵌合部分との相対的な移動だけにより前記本体ケースと前記機能部品とを結合または分離する部品結合構造と、前記本体ケースと前記把持ケースとの相対的な回転を許容し、その回転に応じて電源をオンまたはオフする把持結合構造とを備え、前記本体ケースは、前記把持ケースから突出する上側の部分、および、前記把持ケース内に配置される下側の部分を含むインナーケース、ならびに、前記上側の部分を覆う上部結合部分を含むアウターケースを備え、前記機能部品は前記上部結合部分に取り付け可能であり、前記アウターケースとは異なる構造を備える第２のアウターケースとの結合および分離が可能な回転結合構造を含み、前記回転結合構造は前記機能部品の長手方向に沿う回転軸まわりで前記機能部品と前記第２のアウターケースとを相対的に回転させることにより前記機能部品と前記第２のアウターケースとの結合および分離が可能である。
【発明の効果】
【００１１】
上記口腔衛生装置は装置本体および機能部品の結合および分離に関する作業性の向上に貢献可能である。
【図面の簡単な説明】
【００１２】
【図１】は第１実施形態の口腔衛生装置の斜視図である。
【図２】は図１の状態から要素の一部が省略または破断された斜視図である。
【図３】は図２の状態から要素の一部が省略または破断された斜視図である。
【図４】は図３の状態から要素の一部が省略または破断された斜視図である。
【図５】は図１の口腔衛生装置に関する図である。
【図６】は図２の電動歯ブラシに関する図である。
【図７】は図１の口腔衛生装置の分解斜視図である。
【図８】は図１の口腔衛生装置の模式図である。
【図９】は図５の口腔衛生装置の断面図である。
【図１０】はキャップに関する図である。
【図１１】は把持ケースに関する図である。
【図１２】は歯ブラシアタッチメントに関する図である。
【図１３】はアウターケースに関する図である。
【図１４】はアウターケースの斜視図である。
【図１５】はインナーケースに関する図である。
【図１６】はインナーケースの斜視図である。
【図１７】は図９の状態から要素の一部が省略された断面図である。
【図１８】は歯ブラシアタッチメント等に関する図である。
【図１９】は歯ブラシアタッチメント等に関する図である。
【図２０】は歯ブラシアタッチメントおよび上部結合部分の断面図である。
【図２１】は図２０の電動歯ブラシの断面図である。
【図２２】は歯ブラシ本体に関する図である。
【図２３】は歯ブラシ本体に関する図である。
【図２４】は図２２および図２３の歯ブラシ本体の断面図である。
【図２５】は図２２および図２３の歯ブラシ本体の断面図である。
【図２６】は図２２および図２３の歯ブラシ本体の断面図である。
【図２７】は電動歯ブラシの陽極金具に関する図である。
【図２８】は把持ケースに関する図である。
【図２９】は図２８の把持ケースの斜視図である。
【図３０】は把持ケースに関する図である。
【図３１】は第２実施形態の口腔衛生装置の斜視図である。
【発明を実施するための形態】
【００１３】
（口腔衛生装置が取り得る形態の一例）
〔１〕本発明に従う口腔衛生装置の一形態は、  口腔に作用する機能部品と、前記機能部品との結合および分離が可能な本体ケースと、前記本体ケースと結合し、使用時に把持される把持ケースとを含む装置本体と、前記本体ケースに設けられる第１の嵌合部分、および、前記機能部品に設けられる第２の嵌合部分を含み、前記第１の嵌合部分と前記第２の嵌合部分との結合および分離が可能であり、前記第１の嵌合部分と前記第２の嵌合部分との結合により前記本体ケースと前記機能部品との相対的な移動および回転を規制し、前記装置本体の長手方向における前記第１の嵌合部分と前記第２の嵌合部分との相対的な移動だけにより前記本体ケースと前記機能部品とを結合または分離する部品結合構造と、前記本体ケースと前記把持ケースとの相対的な回転を許容し、その回転に応じて電源をオンまたはオフする把持結合構造とを備え、前記本体ケースは、前記把持ケースから突出する上側の部分、および、前記把持ケース内に配置される下側の部分を含むインナーケース、ならびに、前記上側の部分を覆う上部結合部分を含むアウターケースを備え、前記機能部品は前記上部結合部分に取り付け可能であり、前記アウターケースとは異なる構造を備える第２のアウターケースとの結合および分離が可能な回転結合構造を含み、前記回転結合構造は前記機能部品の長手方向に沿う回転軸まわりで前記機能部品と前記第２のアウターケースとを相対的に回転させることにより前記機能部品と前記第２のアウターケースとの結合および分離が可能である。
〔２〕前記口腔衛生装置の一例によれば、前記機能部品は前記上部結合部分を挿入可能な開口部分を含み、前記アウターケースは、前記上部結合部分の下方に設けられ、前記上部結合部分よりも太く、前記上側の部分を覆う中間結合部分をさらに含み、前記第１の嵌合部分は前記上部結合部分のうちの前記中間結合部分寄りの部分に設けられ、前記第２の嵌合部分は前記機能部品のうちの前記開口部分寄りの部分に設けられる。
〔３〕前記口腔衛生装置の一例によれば、前記上部結合部分は、前記本体ケースの長手方向における前記上部結合部分の中間部分に設けられ、前記本体ケースの長手方向に延びる案内溝を含み、前記機能部品は前記案内溝に挿入可能な凸部を含む。
〔４〕前記口腔衛生装置の一例によれば、前記機能部品を動作させるアクチュエーターをさらに備え、前記把持結合構造は前記アクチュエーターの電源をオンまたはオフする。
〔５〕前記口腔衛生装置の一例によれば、前記装置本体に着脱可能であり、前記機能部品を覆うキャップをさらに備える。
〔６〕前記口腔衛生装置の一例によれば、前記口腔衛生装置は電動歯ブラシであり、前記機能部品は前記装置本体との結合および分離が可能な歯ブラシ部品である。
【００１４】
（第１実施形態）
携帯型口腔衛生装置１に関する用語について以下のとおり定義する。
（Ａ）Ｚ方向は、装置１の長手方向を示す。
（Ｂ）Ｙ方向は、装置１の正面視においてＺ方向と直交する方向を示す。
（Ｃ）Ｘ方向は、装置１の側面視においてＺ方向と直交する方向を示す。
（Ｄ）Ｘ軸は、Ｘ方向を規定する座標軸を示す。
（Ｅ）Ｙ軸は、Ｙ方向を規定する座標軸を示す。
（Ｆ）Ｚ軸は、Ｚ方向を規定する座標軸を示す。
（Ｇ）ＸＹ平面は、Ｘ軸およびＹ軸により規定される平面を示す。
（Ｈ）ＸＺ平面は、Ｘ軸およびＺ軸により規定される平面を示す。
（Ｉ）ＹＺ平面は、Ｙ軸およびＺ軸により規定される平面を示す。
（Ｊ）前方向ＸＡは、Ｘ方向において背面側から正面側に向かう方向を示す。
（Ｋ）後方向ＸＢは、Ｘ方向において正面側から背面側に向かう方向を示す。
（Ｌ）右方向ＹＡは、正面視のＹ方向において左側から右側に向かう方向を示す。
（Ｍ）左方向ＹＢは、正面視のＹ方向において右側から左側に向かう方向を示す。
（Ｎ）上方向ＺＡは、Ｚ方向において装置１の底部から先端に向かう方向を示す。
（Ｏ）下方向ＺＢは、Ｚ方向において装置１の先端から底部に向かう方向を示す。
（Ｐ）動径方向は、ＸＹ平面上においてＺ軸を中心とした動径の方向を示す。
（Ｑ）外方向は、動径方向においてＺ軸から離れる方向を示す。
（Ｒ）内方向は、動径方向においてＺ軸に近づく方向を示す。
なお、動径方向は、中心軸と別の点との２点を結ぶ線分について、中心軸を固定するとともに別の点を動かすことにより形成される円を仮想円としたとき、この仮想円の半径である動径の方向に相当する。
【００１５】
図１（ａ）は、携帯型口腔衛生装置１の外観斜視構造を示す。携帯型口腔衛生装置１は、歯を清掃する電動歯ブラシ２と、電動歯ブラシ２の歯ブラシアタッチメント５０を保護するキャップ８０とを有する。キャップ８０は、歯ブラシアタッチメント５０の周囲を覆う外周壁部８１と、外周壁部８１の上側の開口部分を閉塞する上側壁部８２とを有する。上側壁部８２は、円弧形状を有する２つの通気孔８２Ａを有する。なお、携帯型口腔衛生装置１は「口腔衛生装置」に相当する。また、歯ブラシアタッチメント５０は「機能部品」に相当する。
【００１６】
図１（ｂ）は、図１（ａ）においてキャップ８０をＸＺ平面で破断した携帯型口腔衛生装置１を示す。電動歯ブラシ２は、各種の部品を内蔵する歯ブラシ本体１０と、複数のブリッスル束５１が植えられた歯ブラシアタッチメント５０とを有する。
【００１７】
図２（ａ）は、図１（ｂ）においてキャップ８０を省略した携帯型口腔衛生装置１、すなわち電動歯ブラシ２を示す。歯ブラシ本体１０は、歯ブラシアタッチメント５０と結合する本体ケース１１と、ユーザーが把持する把持ケース７０と、電動歯ブラシ２の美観を高める装飾リング１２とを有する。
【００１８】
装飾リング１２は、複数の装飾部分１２Ａを有する。１つの装飾部分１２Ａは、四角錐形状を有する。各装飾部分１２Ａは、装飾リング１２の周方向において等間隔に形成されている。装飾リング１２の外面（以下、「装飾面１２Ｚ」）は、携帯型口腔衛生装置１が載せられる物体の表面である載置面に対して２点以上で接触する形状を有する。また装飾面１２Ｚは、蒸着用塗料により塗装されている。蒸着された塗料は、金属光沢を有する皮膜を形成している。
【００１９】
図２（ｂ）は、図２（ａ）において歯ブラシアタッチメント５０をＸＺ平面で破断した電動歯ブラシ２を示す。本体ケース１１の一部分は、歯ブラシアタッチメント５０内の空間に位置する。
【００２０】
図３（ａ）は、図２（ｂ）において把持ケース７０をＸＺ平面で破断した電動歯ブラシ２を示す。本体ケース１１は、外部に露出する部分を有するアウターケース２０と、把持ケース７０およびアウターケース２０により覆われるインナーケース３０とを有する。把持ケース７０は、アウターケース２０およびインナーケース３０の周囲を覆う外周壁部７１と、外周壁部７１の下側の開口部分を閉塞する下側壁部７２と、下側壁部７２の外面に貼り付けられる防水シート（図示略）とを有する。
【００２１】
図５（ｄ）は、下側壁部７２の平面構造を示す。下側壁部７２は、把持ケース７０の外面側から内部の空間側に凹んだ中間凹部７２Ａと、中間凹部７２Ａと外周壁部７１とを接続する４つの溝７２Ｂと、把持ケース７０の内部の空間と外部の空間とを互いに連通する通気孔７２Ｃとを有する。なお、中間凹部７２Ａ、４つの溝７２Ｂ、および通気孔７２Ｃは、上記防水シートにより覆われている。
【００２２】
図３（ｂ）は、図３（ａ）においてアウターケース２０および装飾リング１２をＸＺ平面で破断した電動歯ブラシ２を示す。インナーケース３０の一部分は、アウターケース２０内の空間に位置する。アウターケース２０は、本体ケース１１と把持ケース７０との隙間をシールする弾性部材２５を有する。
【００２３】
図４（ａ）は、図３（ｂ）においてインナーケース３０をＸＺ平面で破断した電動歯ブラシ２を示す。インナーケース３０は、歯ブラシアタッチメント５０を振動させる振動発生装置４０と、乾電池３を保持する電池保持部分３１とを有する。振動発生装置４０は、電動モーター４１と、偏芯分銅４３と、スペーサー４４とを有する。
【００２４】
図４（ｂ）は、図４（ａ）から乾電池３を省略した電動歯ブラシ２を示す。把持ケース７０は、乾電池３の陽極と接触する陽極金具６４を有する。インナーケース３０は、陽極金具６４と接続される通電金具６７と、乾電池３の陰極と接触する陰極金具６３と、通電金具６７および陰極金具６３と電動モーター４１とを互いに接続する回路基板６１とを有する。なお、陽極金具６４は「把持側電極」に相当する。また、通電金具６７は「導電部材」に相当する。
【００２５】
本体ケース１１の材料としては、歯ブラシアタッチメント５０のブラシステー５３の材料よりも硬い材料が用いられている。本体ケース１１およびブラシステー５３の材料の組み合わせとしては、例えば次のものが挙げられる。本体ケース１１の材料として、ガラス繊維入ＡＢＳ樹脂を用い、ブラシステー５３の材料としてポリアセタール樹脂を用いる。または、本体ケース１１の材料としてＡＢＳ樹脂を用い、ブラシステー５３の材料としてポリプロピレン樹脂を用いる。要するに、本体ケース１１およびブラシステー５３のそれぞれの機能上を維持するために必要な硬度を有する範囲内において、本体ケース１１がブラシステー５３に対して高い硬度を有する材料の組み合わせであれば、ここで例示した組み合わせに限らず他の組み合わせを選択することもできる。
【００２６】
なお、本体ケース１１のうちのアウターケース２０は、歯ブラシアタッチメント５０の結合および分離が所定回数にわたり繰り返し行われても必要な機能を維持するため、上記のとおりブラシステー５３よりも硬い材料を用いることが好ましい。一方、本体ケース１１のうちのインナーケース３０については、ブラシステー５３よりも軟らかい材料を用いても、本体ケース１１および歯ブラシアタッチメント５０の結合および分離にともなう耐久性の低下の懸念はないため、アウターケース２０とは異なる材料を選択することもできる。
【００２７】
図５を参照して、携帯型口腔衛生装置１の外観に関する構成について説明する。図５（ａ）は、携帯型口腔衛生装置１の左側面構造を示す。図５（ｂ）は、携帯型口腔衛生装置１の正面構造を示す。図５（ｃ）は、携帯型口腔衛生装置１の平面構造を示す。図５（ｄ）は、携帯型口腔衛生装置１の底面構造を示す。
【００２８】
携帯型口腔衛生装置１の外面１Ｚは、キャップ８０の外面（以下、「キャップ外面８０Ｚ」）と、装飾面１２Ｚと、把持ケース７０の外面（以下、「把持外面７０Ｚ」）とを有する。キャップ外面８０Ｚおよび把持外面７０Ｚは、滑らかに湾曲した形状を有する。
【００２９】
装飾面１２Ｚは、図５（ｃ）に示されるように、キャップ外面８０Ｚの周囲全体にわたりキャップ外面８０Ｚよりも外方向に位置する。装飾面１２Ｚは、図５（ｄ）に示されるように、把持外面７０Ｚの周囲全体にわたり把持外面７０Ｚよりも外方向に位置する。
【００３０】
図５（ａ）に示されるように、装飾部分１２Ａのうちのキャップ外面８０Ｚおよび把持外面７０Ｚの正面および背面に対応する部分は、キャップ外面８０Ｚおよび把持外面７０Ｚに対する外方向への突出量として所定突出量ＬＡを有する。なお、所定突出量ＬＡは装飾部分１２Ａにおいて最も外方向に突出した部分とキャップ外面８０Ｚおよび把持外面７０Ｚとの距離に相当する。
【００３１】
図５（ｂ）に示されるように、装飾部分１２Ａのうちのキャップ外面８０Ｚおよび把持外面７０Ｚの右側面および左側面に対応する部分は、キャップ外面８０Ｚおよび把持外面７０Ｚに対する外方向への突出量として所定突出量ＬＢを有する。所定突出量ＬＢは、所定突出量ＬＡよりも大きい。なお、所定突出量ＬＢは装飾部分１２Ａにおいて最も外方向に突出した部分とキャップ外面８０Ｚおよび把持外面７０Ｚとの距離に相当する。
【００３２】
図６を参照して、電動歯ブラシ２の外観に関する構成について説明する。図６（ａ）は、電動歯ブラシ２の左側面構造を示す。図６（ｂ）は、電動歯ブラシ２の正面構造を示す。図６（ｃ）は、電動歯ブラシ２の平面構造を示す。図６（ｄ）は、電動歯ブラシ２の底面構造を示す。
【００３３】
電動歯ブラシ２の外面２Ｚは、歯ブラシアタッチメント５０の外面（以下、「歯ブラシ面５０Ｚ」）と、アウターケース２０の外面（以下、「アウター外面２０Ｚ」）と、装飾面１２Ｚと、把持外面７０Ｚとを有する。
【００３４】
装飾面１２Ｚは、図６（ｃ）に示されるように、歯ブラシ面５０Ｚおよびアウター外面２０Ｚの周囲全体にわたり歯ブラシ面５０Ｚおよびアウター外面２０Ｚよりも外方向に位置する。
【００３５】
図６（ａ）に示されるように、装飾部分１２Ａのうちのアウター外面２０Ｚの正面および背面に対応する部分は、アウター外面２０Ｚに対する外方向への突出量として所定突出量ＬＣを有する。なお、所定突出量ＬＣは装飾部分１２Ａにおいて最も外方向に突出した部分とアウター外面２０Ｚとの距離に相当する。
【００３６】
図６（ｂ）に示されるように、装飾部分１２Ａのうちのアウター外面２０Ｚの右側面および左側面に対応する部分は、アウター外面２０Ｚに対する外方向への突出量として所定突出量ＬＤを有する。所定突出量ＬＤは、所定突出量ＬＣよりも大きい。なお、所定突出量ＬＤは装飾部分１２Ａにおいて最も外方向に突出した部分とアウター外面２０Ｚとの距離に相当する。
【００３７】
図７および図８を参照して、各部品の結合構造について説明する。
図７は、ユーザーの使用にともない分離が可能な状態に分離された携帯型口腔衛生装置１の斜視構造を示す。ユーザーは、携帯型口腔衛生装置１を電動歯ブラシ２およびキャップ８０に分離することができる。また、電動歯ブラシ２を歯ブラシ本体１０および歯ブラシアタッチメント５０に分離することができる。また、歯ブラシ本体１０を本体ケース１１および把持ケース７０に分離することができる。
【００３８】
本体ケース１１は、アウターケース２０およびインナーケース３０を有する。インナーケース３０は、乾電池３を収容するための電池保持部分３１を有する。電池保持部分３１は、乾電池３を電池保持部分３１内の空間に差し込むため、および乾電池３を電池保持部分３１内の空間から取り出すための開口部分３１Ａを有する。
【００３９】
図８は、模式化した各部品の結合構造を示す。
携帯型口腔衛生装置１は、以下の４つの結合構造を有する。
（Ａ）電動歯ブラシ２およびキャップ８０は、互いに結合および分離することが可能なキャップ結合構造Ｒを有する。キャップ結合構造Ｒは、アウター外面２０Ｚに形成された２つのアウター側嵌合部分ＲＡと、キャップ８０の内面（以下、「キャップ内面８０Ｗ」）に形成された２つのキャップ側嵌合部分ＲＢとを有する（それぞれ図１８参照）。
【００４０】
（Ｂ）歯ブラシ本体１０および歯ブラシアタッチメント５０は、互いに結合および分離することが可能な歯ブラシ結合構造Ｓを有する。歯ブラシ結合構造Ｓは、アウター外面２０Ｚに形成された１つのアウター側嵌合部分ＳＡと、歯ブラシアタッチメント５０の背面壁部に形成された歯ブラシ側嵌合部分ＳＢとを有する。なお、歯ブラシ結合構造Ｓは「部品結合構造」に相当する（それぞれ図１９参照）。
【００４１】
（Ｃ）アウターケース２０およびインナーケース３０は、互いに結合および分離することが可能な本体結合構造Ｔを有する。本体結合構造Ｔは、インナー外面３０Ｚに形成された２つのインナー側嵌合部分ＴＡと、アウター外面２０Ｚに形成された２つのアウター側嵌合部分ＴＢとを有する（それぞれ図２２参照）。
【００４２】
（Ｄ）本体ケース１１および把持ケース７０は、互いに結合および分離することが可能な把持結合構造Ｕを有する。把持結合構造Ｕは、アウターケース２０および把持ケース７０の相対的な回転を規制または許容する上側把持結合構造ＵＸ（図２４（ａ）参照）と、インナーケース３０および把持ケース７０の相対的な回転を規制または許容する下側把持結合構造ＵＹ（図２４（ｂ）参照）とを有する。上側把持結合構造ＵＸおよび下側把持結合構造ＵＹは、協働して本体ケース１１および把持ケース７０を結合または分離する。なお、把持結合構造Ｕは「相対動作構造」に相当する。また、上側把持結合構造ＵＸは「第２回転構造」に相当する。また、下側把持結合構造ＵＹは「第１回転構造」に相当する。
【００４３】
上側把持結合構造ＵＸは、把持ケース７０の内面（以下、「把持内面７０Ｗ」）に形成された２つの把持側嵌合部分ＵＡと、アウター外面２０Ｚに形成された２つのアウター側嵌合部分ＵＢとを有する（それぞれ図２４（ａ）参照）。
【００４４】
下側把持結合構造ＵＹは、把持内面７０Ｗに形成された２つの把持側嵌合部分ＵＣと、インナーケース３０の外面（以下、「インナー外面３０Ｚ」）に形成された１つのインナー側嵌合部分ＵＤとを有する（それぞれ図２４（ｂ）参照）。
【００４５】
なお、携帯型口腔衛生装置１における各結合構造Ｒ、Ｓ、Ｔ、Ｕによる結合とは、それぞれの結合構造により互いに結合された２つの部品に対して力が作用しないとき、または２つの部品を互いに分離する方向に作用する力が所定の力よりも小さいとき、これらの２つの部品が相対的に動作することを規制する状態を示す。
【００４６】
図９（ａ）は、図５のＤ５Ａ−Ｄ５Ａ平面の断面構造を示す。図９（ｂ）は、図５のＤ５Ｂ−Ｄ５Ｂ平面の断面構造を示す断面図。図９は、本体ケース１１内に位置する各部品を外観表示している。
【００４７】
上部結合部分２１は、全体が歯ブラシアタッチメント５０内に位置する。電動モーター４１は、全体が上部結合部分２１内に位置する。中間結合部分２２の外面は、キャップ内面８０Ｗと対向する。インナーケース３０のうちの上側の部分は、アウターケース２０内に位置する。インナーケース３０のうちの下側の部分は、把持ケース７０内に位置する。
【００４８】
図１０を参照して、キャップ８０の構成について説明する。図１０（ａ）は、キャップ８０の正面構造を示す。図１０（ｂ）は、図１０（ａ）のＤ１０Ａ−Ｄ１０Ａ平面における右方向ＹＡ視のキャップ８０の断面構造を示す。図１０（ｃ）は、図１０（ａ）のＤ１０Ａ−Ｄ１０Ａ平面における左方向ＹＢ視のキャップ８０の断面構造を示す。図１０（ｄ）は、図１０（ａ）〜（ｃ）のＤ１０Ｂ−Ｄ１０Ｂ平面における下方向ＺＢ視のキャップ８０の断面構造を示す。図１０（ｄ）は、図１０（ａ）〜（ｃ）のＤ１０Ｃ−Ｄ１０Ｃ平面における下方向ＺＢ視のキャップ８０の断面構造を示す。図１０（ｅ）は、図１０（ａ）〜（ｃ）のＤ１０Ｄ−Ｄ１０Ｄ平面における下方向ＺＢ視のキャップ８０の断面構造を示す。なお、図１０は各座標軸を省略している。図１０に関する説明中の座標は、図１〜図９に示されるものと共通している。
【００４９】
キャップ８０は、歯ブラシアタッチメント５０およびアウターケース２０と案内する２つの接触部分８３と、キャップ結合構造Ｒを構成する２つのキャップ側嵌合部分ＲＢとを有する。各接触部分８３は、キャップ８０の開口部分８４から上側壁部８２までにわたり形成されている。一方の接触部分８３と他方の接触部分８３とは、Ｘ軸を中心として互いに対向する位置関係を有する。各キャップ側嵌合部分ＲＢは、接触部分８３上においてキャップ８０の開口部分８４付近に形成されている。また、接触部分８３におけるキャップ内面８０Ｗに対して外方向に凹む形状を有する。
【００５０】
図１１を参照して、把持ケース７０の構成について説明する。図１１（ａ）は、把持ケース７０の正面構造を示す。図１１（ｂ）は、図１１（ａ）のＤ１１Ａ−Ｄ１１Ａ平面における右方向ＹＡ視の把持ケース７０の断面構造を示す。図１１（ｃ）は、図１１（ｄ）のＤ１１Ｂ−Ｄ１１Ｂ平面における後方向ＺＢ視の把持ケース７０の断面構造を示す。図１１（ｄ）は、図１１（ａ）〜（ｃ）のＤ１１Ｃ−Ｄ１１Ｃ平面における下方向ＺＢ視の把持ケース７０の断面構造を示す。図１１（ｅ）は、図１１（ａ）〜（ｃ）のＤ１１Ｄ−Ｄ１１Ｄ平面における下方向ＺＢ視の把持ケース７０の断面構造を示す。図１１（ｆ）は、図１１（ａ）〜（ｃ）のＤ１１Ｅ−Ｄ１１Ｅ平面における下方向ＺＢ視の把持ケース７０の断面構造を示す。なお、図１１は各座標軸を省略している。図１１に関する説明中の座標は、図１〜図９に示されるものと共通している。
【００５１】
把持ケース７０は、上側把持結合構造ＵＸを構成する２つの把持側嵌合部分ＵＡと、下側把持結合構造ＵＹを構成する２つの把持側嵌合部分ＵＣと、把持内面７０Ｗから内方向に突出した２つの縦リブ７６とを有する。把持ケース７０はこの他に、陽極金具６４（図４参照）を固定するための固定部分７４と、本体ケース１１を内部の空間に挿入するための開口部分７３とを有する。
【００５２】
各把持側嵌合部分ＵＡは、把持内面７０Ｗにおいて開口部分７３付近に位置する。一方の把持側嵌合部分ＵＡと他方の把持側嵌合部分ＵＡは、Ｘ軸を中心として互いに対向している。
【００５３】
各把持側嵌合部分ＵＣは、Ｚ方向において把持ケース７０の下側壁部７２から中間部分までにわたり形成されている。一方の把持側嵌合部分ＵＣと他方の把持側嵌合部分ＵＣとは、周方向においてインナーケース３０のインナー側嵌合部分ＵＤの大きさに対応した間隔を有する。
【００５４】
各縦リブ７６は、Ｚ軸まわりにおいて把持側嵌合部分ＵＡと対応する位置に形成されている。各縦リブ７６は、Ｚ方向において把持ケース７０の下側壁部７２から把持側嵌合部分ＵＡの下方付近までにわたり形成されている。
【００５５】
図１２を参照して、歯ブラシアタッチメント５０の構成について説明する。図１２（ａ）は、歯ブラシアタッチメント５０の正面構造を示す。図１２（ｂ）は、歯ブラシアタッチメント５０の背面構造を示す。図１２（ｃ）は、図１２（ａ）のＤ１２Ａ−Ｄ１２Ａ平面における右方向ＹＡ視の歯ブラシアタッチメント５０の断面構造を示す。図１２（ｄ）は、図１２（ａ）〜（ｃ）のＤ１２Ｂ−Ｄ１２Ｂ平面における下方向ＺＢ視の歯ブラシアタッチメント５０の断面構造を示す。図１２（ｅ）は、図１２（ａ）〜（ｃ）のＤ１２Ｃ−Ｄ１２Ｃ平面における下方向ＺＢ視の歯ブラシアタッチメント５０の断面構造を示す。図１２（ｅ）は、図１２（ａ）〜（ｃ）のＤ１２Ｄ−Ｄ１２Ｄ平面における下方向ＺＢ視の歯ブラシアタッチメント５０の断面構造を示す。なお、図１２は各座標軸を省略している。図１２に関する説明中の座標は、図１〜図９に示されるものと共通している。
【００５６】
歯ブラシアタッチメント５０は、歯を清掃する複数のブリッスル束５１と、各ブリッスル束５１が植毛されるブラシヘッド５２と、本体ケース１１と結合するブラシステー５３とを有する。ブラシヘッド５２およびブラシステー５３は、同一の樹脂材料により単一の部材として形成されている。
【００５７】
ブラシステー５３は、歯ブラシ結合構造Ｓを構成する歯ブラシ側嵌合部分ＳＢと、アウターケース２０の案内溝２１Ａ（図１３（ｃ）参照）に嵌め込まれる案内リブ５４とを有する。ブラシステー５３はこの他に、アウターケース２０とは別構造のアウターケース（以下、「別構造ケース」）と互いに結合および分離するための回転結合構造５５を有する。別構造ケースは、歯ブラシ側嵌合部分ＳＢと結合および分離する別構造嵌合凸部と、ユーザーにより歯ブラシアタッチメント５０が別構造ケースに結合されるとき、ユーザーに対して操作感を付与する別構造操作感付与部とを有する。なお、別構造ケースの図示は省略する。
【００５８】
歯ブラシ側嵌合部分ＳＢは、ブラシステー５３の背面壁部に形成された貫通孔を有する。案内リブ５４は、歯ブラシアタッチメント５０の開口部分５９からＺ方向の中間部分までにわたり形成されている。
【００５９】
回転結合構造５５は、別構造操作感付与部を嵌め込むための凹嵌合部分５６と、別構造操作感付与部に反力を付与する操作感付与部５７と、別構造操作感付与部を操作感付与部５７に案内する回転案内溝５８とを有する。
【００６０】
凹嵌合部分５６は、凹嵌合部分５６に嵌め込まれた別構造操作感付与部と接触する規制立面５６Ａを有する。操作感付与部５７は、別構造操作感付与部を凹嵌合部分５６に案内する案内斜面５７Ａと、凹嵌合部分５６に嵌め込まれた別構造操作感付与部と接触する規制立面５７Ｂと、案内斜面５７Ａと規制立面５７Ｂとを接続する中間曲面５７Ｃとを有する。回転案内溝５８は、別構造嵌合凸部を開口部分５９から歯ブラシ側嵌合部分ＳＢまで案内する形状を有する。
【００６１】
ユーザーは、歯ブラシアタッチメント５０を別構造ケースに結合するとき、回転案内溝５８に別構造嵌合凸部を挿入する。次に、歯ブラシアタッチメント５０を別構造ケースに対してＺ軸まわりで回転させることにより、別構造嵌合凸部を歯ブラシ側嵌合部分ＳＢに嵌め込む。このとき、別構造操作感付与部が回転案内溝５８から案内斜面５７Ａおよび中間曲面５７Ｃを介して凹嵌合部分５６に移動する。別構造操作感付与部は、案内斜面５７Ａおよび中間曲面５７Ｃを乗り越えるとき、操作感付与部５７からの反力をユーザーに対して操作感として付与する。
【００６２】
歯ブラシ側嵌合部分ＳＢに嵌め込まれた別構造嵌合凸部は、ブラシステー５３の背面壁部との接触によりブラシステー５３に対する移動が規制される。これにより、歯ブラシアタッチメント５０が別構造ケースに結合される。
【００６３】
ユーザーは、別構造嵌合凸部が歯ブラシ側嵌合部分ＳＢからブラシステー５３の背面壁部の内面に乗り上げるために必要な力をブラシステー５３に付与することにより、歯ブラシアタッチメント５０を別構造ケースから分離することができる。
【００６４】
図１３を参照して、アウターケース２０の構成について説明する。図１３（ａ）は、アウターケース２０の左側面構造を示す。図１３（ｂ）は、アウターケース２０の右側面構造を示す。図１３（ｃ）は、アウターケース２０の正面構造を示す。図１３（ｄ）は、アウターケース２０の背面構造を示す。
【００６５】
アウターケース２０は、歯ブラシアタッチメント５０と結合する上部結合部分２１と、把持ケース７０と結合する下部結合部分２３と、上部結合部分２１および下部結合部分２３を互いに接続する中間結合部分２２とを有する。上部結合部分２１、中間結合部分２２、および下部結合部分２３は、同一の樹脂材料により単一の部材として形成されている。
【００６６】
上部結合部分２１は、歯ブラシ結合構造Ｓを構成する１つのアウター側嵌合部分ＳＡと、歯ブラシアタッチメント５０の案内リブ５４を中間結合部分２２の対向面２２Ｃに向けて案内する案内溝２１Ａを有する。
【００６７】
中間結合部分２２は、キャップ結合構造Ｒを構成する２つのアウター側嵌合部分ＲＡと、装飾リング１２の凹部が嵌め込まれる２つの固定部分２２Ａとを有する。中間結合部分２２はこの他に、弾性部材２５が嵌め込まれる嵌合溝２２Ｂと、歯ブラシアタッチメント５０の開口部分５９側の端面と対向する対向面２２Ｃとを有する。各固定部分２２Ａおよび各アウター側嵌合部分ＲＡは、中間結合部分２２の外面から動径方向に突出する形状を有する。
【００６８】
下部結合部分２３は、上側把持結合構造ＵＸを構成する２つのアウター側嵌合部分ＵＢと、本体結合構造Ｔを形成する２つのアウター側嵌合部分ＴＢとを有する。各アウター側嵌合部分ＴＢは、下部結合部分２３の壁部の一部を貫通する孔を有する。
【００６９】
各アウター側嵌合部分ＵＢは、上側把持結合構造ＵＸの把持側嵌合部分ＵＡの移動範囲を規制する第１回転溝ＵＢ１と、把持側嵌合部分ＵＡを第１回転溝ＵＢ１に案内する第２回転溝ＵＢ２と、第１回転溝ＵＢ１および第２回転溝ＵＢ２の境界に位置する境界リブＵＢ３とを有する。境界リブＵＢ３は、把持側嵌合部分ＵＡが第２回転溝ＵＢ２から第１回転溝ＵＢ１に移動するとき、および把持側嵌合部分ＵＡが第１回転溝ＵＢ１から第２回転溝ＵＢ２に移動するとき、把持ケース７０に反力を付与する機能を有する。
【００７０】
一方のアウター側嵌合部分ＵＢおよびアウター側嵌合部分ＴＢは、下部結合部分２３の外面のうちの右側面に位置する。他方のアウター側嵌合部分ＵＢおよびアウター側嵌合部分ＴＢは、下部結合部分２３の外面のうちの左側面に位置する。
【００７１】
図１４を参照して、アウター側嵌合部分ＳＡの形状について説明する。
アウター側嵌合部分ＳＡは、上部結合部分２１の外面から後方向ＸＢに向けて突出する２つの直立壁部ＳＡ１と、各直立壁部ＳＡ１の間において上部結合部分２１の外面から後方向ＸＢに突出する中間凹部ＳＡ４とを有する。中間凹部ＳＡ４は、各直立壁部ＳＡ１に対して凹部を形成する。
【００７２】
各直立壁部ＳＡ１は、歯ブラシアタッチメント５０と結合するときにユーザーに操作感を付与する結合側接触面ＳＡ２と、歯ブラシアタッチメント５０と分離するときにユーザーに操作感を付与する分離側接触面ＳＡ３とを有する。結合側接触面ＳＡ２は、上部結合部分２１の外面に対して後方向ＸＢに直立した形状を有する。分離側接触面ＳＡ３は、上部結合部分２１の外面に対して下方向ＺＢから上方向ＺＡに向かうにつれて後方向ＸＢに向けて突出する形状を有する。
【００７３】
図１５を参照して、インナーケース３０の構成について説明する。
インナーケース３０は、乾電池３（図７参照）を保持する電池保持部分３１と、回路基板６１（図９参照）を保持する基板保持部分３２と、振動発生装置４０（図９参照）を保持する装置保持部分３３とを有する。
【００７４】
電池保持部分３１は、本体結合構造Ｔを構成する２つのインナー側嵌合部分ＴＡと、乾電池３の差し込みおよび取り出しのための開口部分３１Ａと、乾電池３を挟み込む挟持部分３１Ｂとを有する。電池保持部分３１はこの他に、電池保持部分３１の内部に収容された乾電池３の一部を露出させる切欠部分３１Ｃと、陰極金具６３（図１６参照）を嵌め込むための陰極嵌込部分３１Ｄと、通電金具６７（図１６参照）を嵌め込むための陽極嵌込部分３１Ｅとを有する。電池保持部分３１はこの他に、高い強度を有する壁部としての基礎部分３１Ｆと、インナー側嵌合部分ＴＡを基礎部分３１Ｆに接続する３つの支持部分３１Ｇとを有する。
【００７５】
各インナー側嵌合部分ＴＡは、基礎部分３１Ｆに対して３つの支持部分３１Ｇにより支持されている。各インナー側嵌合部分ＴＡは、インナー外面３０Ｚのうちの３つの支持部分３１Ｇに囲まれた部分においてインナー外面３０Ｚから外方向に突出している。
【００７６】
陽極嵌込部分３１Ｅは、電池保持部分３１の外面において一方の端部から他方の端部までにわたり形成されている。陽極嵌込部分３１Ｅは、通電金具６７を熱カシメにより固定するための複数の突起を有する。
【００７７】
各挟持部分３１Ｂは、電池保持部分３１の壁部との接続部分から先端部分に向かうにつれて外方向から内方向に向けて傾斜している。このため、乾電池３が電池保持部分３１に差し込まれるとき、乾電池３との接触により各挟持部分３１Ｂが内方向から外方向に押し広げられる。
【００７８】
基板保持部分３２は、基板保持部分３２の壁部の一部と装置保持部分３３の壁部の一部分とを互いに接続する接続部分３２Ａと、回路基板６１（図１６参照）を引っ掛けるための２つの引掛部分３２Ｂとを有する。
【００７９】
図１６を参照して、電気部品について説明する。
電動モーター４１およびスペーサー４４は、粘着性を有するテープ（図示略）により装置保持部分３３に固定される。偏芯分銅４３は、電動モーター４１の出力軸４２（図１７参照）に固定される。
【００８０】
電動歯ブラシ２は、複数の電気系部品を含む電気部品群６０を有する。電気部品群６０は、乾電池３の電流を電動モーター４１に供給する回路基板６１と、回路基板６１上に取り付けられた電流ヒューズ６２と、乾電池３の陰極に接触する陰極金具６３と、乾電池３の陽極に接触する陽極金具６４（図４参照）とを有する。電気部品群６０はこの他に、陽極金具６４の回路基板６１の端部に接続される通電金具６７と、陰極金具６３の回路基板６１側の端部と回路基板６１の出力側の陰極端子を互いに接続する陰極リード線６５と、通電金具６７の回路基板６１側の端部と回路基板６１の出力側の陽極端子とを互いに接続する陽極リード線６６とを有する。
【００８１】
電流ヒューズ６２は、陽極リード線６６の一方および陽極リード線６６の他方の間に位置する。陰極金具６３は、インナーケース３０の基板保持部分３２に固定されている。陰極金具６３の回路基板６１側の端部は、回路基板６１の入力側の陰極端子に接続されている。通電金具６７は、電池保持部分３１の陽極嵌込部分３１Ｅに固定されている。回路基板６１の出力側の陰極端子は、電動モーター４１の陰極端子と接続されている。回路基板６１の出力側の陽極端子は、電動モーター４１の陽極端子と接続されている。
【００８２】
図１７を参照して、電気部品により形成される電気回路について説明する。図１７（ａ）は図９（ａ）においてキャップ８０および歯ブラシアタッチメント５０が省略された状態を示す。図１７（ｂ）は、図９（ｂ）においてキャップ８０および歯ブラシアタッチメント５０が省略された状態を示す。
【００８３】
電気部品群６０は、電池保持部分３１に乾電池３が差し込まれているとき、かつ陽極金具６４およびお通電金具６７が互いに接触しているとき、乾電池３の陽極、陽極金具６４、回路基板６１、陽極リード線６６、電動モーター４１、陰極リード線６５、回路基板６１、陰極金具６３、および乾電池３の陰極の順に電気的に接続された閉回路を形成する。
【００８４】
電流ヒューズ６２は、閉回路を流れる電流が定格電流よりも大きいとき、電気部品群６０が形成する閉回路を遮断する。陽極金具６４は、本体ケース１１に対する把持ケース７０の回転により通電金具６７と接触しない位置に移動したとき、電気部品群６０が形成する閉回路を遮断する。一方、本体ケース１１に対する把持ケース７０の回転により通電金具６７と接触する位置に移動したとき、電気部品群６０が形成する閉回路を接続する。
【００８５】
通電金具６７は、陽極嵌込部分３１Ｅ（図１５（ｃ）参照）に嵌め込まれた直線部分６７Ａと、折り曲げ加工が施された折曲部分６７Ｂとを有する。通電金具６７は、熱カシメにより陽極嵌込部分３１Ｅに対して固定されている。折曲部分６７Ｂは、インナーケース３０の開口部分に位置する。折曲部分６７Ｂの外面は、湾曲した形状を有する。折曲部分６７Ｂの湾曲した外面は、陽極金具６４との相対移動にともなう接触時に互いの部品が摩耗することを抑制する。
【００８６】
図１８を参照して、キャップ結合構造Ｒの動作について説明する。
図１８（ａ）は、電動歯ブラシ２およびキャップ８０が互いに結合した状態の正面構造であり、キャップ８０をＹＺ平面で破断した携帯型口腔衛生装置１の一部分の正面構造を示す。図１８（ｂ）は、電動歯ブラシ２およびキャップ８０が互いに結合した状態の背面構造であり、キャップ８０をＹＺ平面で破断した携帯型口腔衛生装置１の一部分の背面構造を示す。
【００８７】
キャップ結合構造Ｒは、電動歯ブラシ２およびキャップ８０が互いに結合した状態において、第１分離力よりも大きい力がＺ方向に作用するとき、電動歯ブラシ２およびキャップ８０の結合を解除する。キャップ結合構造Ｒは、電動歯ブラシ２およびキャップ８０が互いに分離した状態かつ、アウターケース２０のアウター側嵌合部分ＲＡおよびキャップ８０のキャップ側嵌合部分ＲＢの位置関係が互いに対応する状態において、Ｚ方向に対して第１結合力よりも大きい力が作用するとき、電動歯ブラシ２およびキャップ８０を互いに結合する。
【００８８】
図１９〜図２１を参照して、歯ブラシ結合構造Ｓの動作について説明する。
図１９（ａ）は、歯ブラシ本体１０および歯ブラシアタッチメント５０が互いに結合した状態の左側面構造であり、歯ブラシアタッチメント５０をＸＺ平面で破断した携帯型口腔衛生装置１の一部分の左側面構造を示す。図１９（ｂ）は、歯ブラシ本体１０および歯ブラシアタッチメント５０が互いに結合した状態の背面構造であり、歯ブラシアタッチメント５０をＸＺ平面で破断した携帯型口腔衛生装置１の一部分の背面構造を示す。
【００８９】
歯ブラシ結合構造Ｓは、歯ブラシ本体１０および歯ブラシアタッチメント５０が互いに結合した状態において、第２分離力よりも大きい力がＺ方向に作用するとき、歯ブラシ本体１０および歯ブラシアタッチメント５０の結合を解除する。歯ブラシ結合構造Ｓは、歯ブラシ本体１０および歯ブラシアタッチメント５０が互いに分離した状態かつ、アウターケース２０のアウター側嵌合部分ＳＡおよび歯ブラシアタッチメント５０の歯ブラシ側嵌合部分ＳＢの位置関係が互いに対応する状態において、第２結合力よりも大きい力がＺ方向に作用するとき、歯ブラシ本体１０および歯ブラシアタッチメント５０を互いに結合する。
【００９０】
図２０と図２１を参照して、歯ブラシ結合構造Ｓの詳細な関係について説明する。
図２０は、歯ブラシ結合構造Ｓおよびその周辺の断面構造について、歯ブラシ結合構造Ｓにより歯ブラシ本体１０および歯ブラシアタッチメント５０が互いに結合する過程を示す。図２１（ａ）は、図２０（ｃ）のＤ２０Ａ−Ｄ２０Ａ平面における本体ケース１１および歯ブラシアタッチメント５０の断面構造を示す。図２１（ｂ）は、図２０（ｄ）のＤ２０Ｂ−Ｄ２０Ｂ平面における本体ケース１１および歯ブラシアタッチメント５０の断面構造を示す。
【００９１】
図２０（ａ）に示されるように、歯ブラシアタッチメント５０は、上部結合部分２１に対する下方向ＺＢへの移動により開口部分５９に上部結合部分２１の先端部分を挿入する。このとき、案内リブ５４は案内溝２１Ａ内に進入する。
【００９２】
図２０（ｂ）に示されるように、歯ブラシアタッチメント５０は、上部結合部分２１に対する下方向ＺＢへの移動により開口部分５９の端面が上部結合部分２１のアウター側嵌合部分ＳＡに接触する。
【００９３】
図２０（ｃ）に示されるように、歯ブラシアタッチメント５０の背面壁部は、第２結合力よりも大きい力が下方向ＺＢに作用するとき、結合側接触面ＳＡ２（図１４参照）と接触しながら各直立壁部ＳＡ１（図１４参照）上を移動する。このとき、各直立壁部ＳＡ１は背面壁部に反力を付与する。背面壁部に作用する反力は、歯ブラシアタッチメント５０を結合する操作にともなう操作感をユーザーに付与する。図２１（ａ）に示されるように、背面壁部が各直立壁部ＳＡ１上を移動するとき、操作感付与部５７は中間凹部ＳＡ４（図１４参照）上を移動する。
【００９４】
図２０（ｄ）に示されるように、歯ブラシアタッチメント５０は、歯ブラシ側嵌合部分ＳＢの全体が上部結合部分２１のアウター側嵌合部分ＳＡと対応する位置まで移動したとき、歯ブラシ側嵌合部分ＳＢおよびアウター側嵌合部分ＳＡが互いに嵌め合わせられる。このため、歯ブラシアタッチメント５０が歯ブラシ本体１０に結合される。
【００９５】
図２１（ｂ）に示されるように、アウター側嵌合部分ＳＡの各直立壁部ＳＡ１は、それぞれ歯ブラシ側嵌合部分ＳＢの壁面に接触する。各直立壁部ＳＡ１と歯ブラシ側嵌合部分ＳＢの壁面との接触は、上部結合部分２１に対する歯ブラシアタッチメント５０の回転を規制する。案内リブ５４は、アウター側嵌合部分ＳＡおよび歯ブラシ側嵌合部分ＳＢが互いに嵌め合わせられているとき、上部結合部分２１の案内溝２１Ａに嵌め込まれている。
【００９６】
図２２を参照して、本体結合構造Ｔの詳細な関係について説明する。
本体結合構造Ｔは、アウターケース２０およびインナーケース３０が互いに結合した状態において、第３分離力よりも大きい力が電動歯ブラシ２のＺ方向に作用するとき、アウターケース２０およびインナーケース３０の結合を解除する。本体結合構造Ｔは、アウターケース２０およびインナーケース３０が互いに分離した状態かつ、インナー側嵌合部分ＴＡおよびアウター側嵌合部分ＴＢの位置関係が互いに対応する状態において、第３結合力よりも大きい力が電動歯ブラシ２のＺ方向に作用するとき、アウターケース２０およびインナーケース３０を互いに結合する。
【００９７】
図２２〜図２６を参照して、把持結合構造Ｕの詳細な関係について説明する。
図２２（ａ）は、把持ケース７０をＸＺ平面で破断した状態における歯ブラシ本体１０の左側面構造を示す。図２２（ｂ）は、把持ケース７０をＸＺ平面で破断した状態における歯ブラシ本体１０の右側面構造を示す。図２３（ａ）は、把持ケース７０をＹＺ平面で破断した状態における歯ブラシ本体１０の正面構造を示す。図２３（ｂ）は、把持ケース７０をＹＺ平面で破断した状態における歯ブラシ本体１０の背面構造を示す。
【００９８】
把持結合構造Ｕは、本体ケース１１および把持ケース７０が互いに結合した状態において、第４分離力よりも大きい力が電動歯ブラシ２の中心軸まわりの反転方向に作用するとき、本体ケース１１および把持ケース７０の結合を解除する。把持結合構造Ｕは、本体ケース１１および把持ケース７０が互いに分離した状態かつ、把持側嵌合部分ＵＡおよびアウター側嵌合部分ＵＢの位置関係が互いに対応する状態、かつ把持側嵌合部分ＵＣおよびインナー側嵌合部分ＵＤの位置関係が互いに対応する状態において、第４結合力よりも大きい力が電動歯ブラシ２の中心軸まわりの反転方向に作用するとき、本体ケース１１および把持ケース７０を互いに結合する。
【００９９】
把持結合構造Ｕは、本体ケース１１および把持ケース７０が互いに結合した状態において本体ケース１１および把持ケース７０の相対的な回転を許容する。本体ケース１１および把持ケース７０の相対的な回転状態は、「分離状態」、「オフ状態」、および「オン状態」の３つに区分される。
【０１００】
以下では、図６（ｃ）に示される歯ブラシ本体１０の平面視において、Ｚ軸まわりにおける反時計まわりの回転方向を「結合方向」とし、Ｚ軸まわりにおける時計まわりの回転方向を「分離方向」とする。なお、オフ状態における本体ケース１１および把持ケース７０の相対的な回転位置は「第１回転位置」に相当する。また、オン状態における本体ケース１１および把持ケース７０の相対的な回転位置は「第２回転位置」に相当する。
【０１０１】
図２２〜図２４を参照して、分離状態の詳細について説明する。
図２４（ａ）は、本体ケース１１および把持ケース７０の分離状態における図２２のＤ２２Ａ−Ｄ２２Ａ平面の断面構造を示す。図２４（ｂ）は、本体ケース１１および把持ケース７０の分離状態における図２２のＤ２２Ｂ−Ｄ２２Ｂ平面の断面構造を示す。
【０１０２】
図２４（ａ）に示されるように、把持ケース７０の把持側嵌合部分ＵＡは、把持ケース７０の操作力が第４結合力よりも小さいとき、アウターケース２０に対するＺ軸まわりの移動範囲が第１回転溝ＵＢ１内に規制される。第１回転溝ＵＢ１は、アウターケース２０の回転規制壁部ＵＢ４から境界リブＵＢ３までの範囲に相当する。
【０１０３】
アウターケース２０の回転規制壁部ＵＢ４は、把持ケース７０の把持側嵌合部分ＵＡと接触しているとき、アウターケース２０に対する分離方向への把持ケース７０の回転を規制する。アウターケース２０の境界リブＵＢ３は、把持ケース７０の把持側嵌合部分ＵＡと接触しているとき、アウターケース２０に対する結合方向への把持ケース７０の回転を規制する。
【０１０４】
図２４（ｂ）に示されるように、把持ケース７０の把持側嵌合部分ＵＣは、把持ケース７０の操作力が第４結合力よりも小さいとき、インナーケース３０に対するＺ軸まわりの移動範囲がインナーケース３０のインナー側嵌合部分ＵＤにより規制される。インナーケース３０のインナー側嵌合部分ＵＤは、把持ケース７０の把持側嵌合部分ＵＣと接触しているとき、インナーケース３０に対する結合方向への把持ケース７０の回転を規制する。
【０１０５】
図２２に示されるように、第１回転溝ＵＢ１は、下方向ＺＢにおいてインナーケース３０の外面側に開口している。このため、把持ケース７０の把持側嵌合部分ＵＡは、第１回転溝ＵＢ１に位置する状態において、把持ケース７０が本体ケース１１に対して下方向ＺＢに移動するとき、第１回転溝ＵＢ１からインナー外面３０Ｚ側に離脱する。把持側嵌合部分ＵＡは、第１回転溝ＵＢ１に対応するインナー外面３０Ｚ側に位置する状態において、把持ケース７０が本体ケース１１に対して上方向ＺＡに移動するとき、インナー外面３０Ｚ側から第１回転溝ＵＢ１に進入する。
【０１０６】
把持ケース７０は、把持側嵌合部分ＵＡが第１回転溝ＵＢ１から離脱しているとき、本体ケース１１に対して下方向ＺＢに移動することができる。このため、分離状態のとき、把持ケース７０の開口部分７３から本体ケース１１を離脱することができる。
【０１０７】
分離状態からオフ状態への移行について説明する。
分離状態において、把持ケース７０に対して第４結合力よりも小さい結合方向の操作力が入力されたとき、把持ケース７０が本体ケース１１に対して結合方向に回転する。そして、図２４（ａ）および図２４（ｂ）に示されるように、把持ケース７０の把持側嵌合部分ＵＡが境界リブＵＢ３に接触する。
【０１０８】
図２４の分離状態において、把持ケース７０に対して第４結合力よりも大きい結合方向の操作力が入力されたとき、把持ケース７０の把持側嵌合部分ＵＡが境界リブＵＢ３を結合方向に乗り越え、かつ把持ケース７０の把持側嵌合部分ＵＣがインナーケース３０のインナー側嵌合部分ＵＤを結合方向に乗り越える。これにより、本体ケース１１および把持ケース７０の相対的な回転状態がオフ状態に移行する。
【０１０９】
第４結合力は、把持側嵌合部分ＵＡが境界リブＵＢ３を結合方向に乗り越えるために必要な結合方向の操作力と、把持側嵌合部分ＵＣがインナー側嵌合部分ＵＤを結合方向に乗り越えるために必要な結合方向の操作力とを合わせたものに相当する。なお、第４結合力は「操作力ＰＢ」に相当する。
【０１１０】
図２３に示されるように、分離状態のとき、陽極金具６４は通電金具６７と非接触の関係を有する。陽極金具６４の先端部分は、本体ケース１１に対する把持ケース７０の結合方向への回転にともない通電金具６７に次第に接近する。陽極金具６４は、本体ケース１１および把持ケース７０の回転状態が分離状態からオフ状態に移行したときも通電金具６７と非接触の関係を有する。
【０１１１】
図２５を参照して、オフ状態の詳細について説明する。
図２５（ａ）は、本体ケース１１および把持ケース７０のオフ状態における図２２のＤ２２Ａ−Ｄ２２Ａ平面の断面構造を示す。図２５（ｂ）は、本体ケース１１および把持ケース７０のオフ状態における図２２のＤ２２Ｂ−Ｄ２２Ｂ平面の断面構造を示す。
【０１１２】
図２５（ｂ）に示されるように、把持ケース７０の一方の把持側嵌合部分ＵＡは、把持ケース７０の操作力がオン操作力よりも小さいとき、アウターケース２０に対する結合方向への回転がインナーケース３０のインナー側嵌合部分ＵＤにより規制される。
【０１１３】
図２５（ｂ）に示されるように、把持ケース７０の他方の把持側嵌合部分ＵＡは、把持ケース７０の操作力が第４分離力よりも小さいとき、アウターケース２０に対する分離方向への回転がインナーケース３０のインナー側嵌合部分ＵＤにより規制される。
【０１１４】
図２５（ａ）に示されるように、把持ケース７０の把持側嵌合部分ＵＡは、把持ケース７０の分離方向の操作力が第４分離力よりも小さいとき、インナーケース３０に対する分離方向への回転がインナーケース３０のインナー側嵌合部分ＵＤにより規制される。
【０１１５】
すなわち、把持ケース７０はオフ状態において、結合方向への操作力がオン操作力よりも小さく、かつ分離方向への操作力が第４分離力よりも小さいとき、本体ケース１１に対して回転しない。
【０１１６】
オフ状態からオン状態への移行について説明する。
図２５のオフ状態において、把持ケース７０に対してオン操作力よりも大きい結合方向の操作力が入力されたとき、把持ケース７０の１つの把持側嵌合部分ＵＣがインナーケース３０のインナー側嵌合部分ＵＤを結合方向に乗り越える。これにより、本体ケース１１および把持ケース７０の相対的な回転状態がオン状態に移行する。
【０１１７】
オン操作力は、１つの把持側嵌合部分ＵＣがインナー側嵌合部分ＵＤを結合方向に乗り越えるために必要な結合方向の操作力に相当する。すなわち、本体ケース１１および把持ケース７０の回転状態を分離状態からオフ状態に変更するために必要となる第４結合力よりも小さい。なお、オン操作力は「操作力ＰＡ」に相当する。
【０１１８】
図２３に示されるように、オフ状態のとき、陽極金具６４は通電金具６７と非接触の関係を有する。陽極金具６４の先端部分は、本体ケース１１に対する把持ケース７０の結合方向への回転にともない通電金具６７に次第に接近する。そして、本体ケース１１および把持ケース７０の回転状態がオフ状態からオン状態に移行したとき、通電金具６７に接触するため、電気部品群６０の閉回路が形成される（図１６参照）。このため、電動モーター４１が回転する。なお、オフ状態における通電金具６７に対する陽極金具６４の回転位置は「第１電極位置」に相当する。また、オン状態における通電金具６７に対する陽極金具６４の回転位置は「第２電極位置」に相当する。
【０１１９】
オフ状態から分離状態への移行について説明する。
図２５のオフ状態において、把持ケース７０に対して第４分離力よりも大きい分離方向の操作力が入力されたとき、把持ケース７０の把持側嵌合部分ＵＡが境界リブＵＢ３を分離方向に乗り越え、かつ把持ケース７０の１つの把持側嵌合部分ＵＣがインナーケース３０のインナー側嵌合部分ＵＤを分離方向に乗り越える。これにより、本体ケース１１および把持ケース７０の相対的な回転状態が分離状態に移行する。
【０１２０】
第４分離力は、把持側嵌合部分ＵＡが境界リブＵＢ３を分離方向に乗り越えるために必要な分離方向の操作力と、１つの把持側嵌合部分ＵＣがインナー側嵌合部分ＵＤを分離方向に乗り越えるために必要な分離方向の操作力とを合わせたものに相当する。また、第４結合力よりも大きい。
【０１２１】
本体ケース１１および把持ケース７０は、分離状態からオフ状態に移行する過程またはオフ状態から分離状態に移行する過程において、Ｚ軸まわりにおいて相対的に第１所定回転量にわたり回転する。また、オフ状態からオン状態に移行する過程またはオン状態からオフ状態に移行する過程において、Ｚ軸まわりにおいて相対的に第２所定回転量にわたり回転する。第２所定回転量は、第１所定回転量よりも小さい。なお、第１所定回転量は「操作量ＱＢ」に相当する。また、第２所定回転量は「操作量ＱＡ」に相当する。
【０１２２】
図２６を参照して、オン状態の詳細について説明する。
図２６（ａ）は、本体ケース１１および把持ケース７０のオン状態における図２２のＤ２２Ａ−Ｄ２２Ａ平面の断面構造を示す。図２６（ｂ）は、本体ケース１１および把持ケース７０のオン状態における図２２のＤ２２Ｂ−Ｄ２２Ｂ平面の断面構造を示す。
【０１２３】
図２６（ａ）に示されるように、把持ケース７０の把持側嵌合部分ＵＡは、アウターケース２０の回転規制壁部ＵＢ５によりアウターケース２０に対する分離方向への回転が規制される。
【０１２４】
図２６（ｂ）に示されるように、把持ケース７０の把持側嵌合部分ＵＣは、把持ケース７０の操作力がオフ操作力よりも小さいとき、インナーケース３０に対する分離方向への回転がインナーケース３０のインナー側嵌合部分ＵＤにより規制される。
【０１２５】
すなわち、把持ケース７０はオン状態において、分離方向への操作力がオフ操作力よりも小さいとき、本体ケース１１に対して回転しない。なお、アウターケース２０の回転規制壁部ＵＢ５は、把持側嵌合部分ＵＡの結合方向への回転を不能にしている。このため、把持ケース７０に入力される操作力の大きさにかかわらず、把持ケース７０はオン状態において本体ケース１１に対して結合方向に回転しない。
【０１２６】
オン状態からオフ状態への移行について説明する。
図２６のオン状態において、把持ケース７０に対してオフ操作力よりも大きい分離方向の操作力が入力されたとき、把持ケース７０の１つの把持側嵌合部分ＵＣがインナーケース３０のインナー側嵌合部分ＵＤを分離方向に乗り越える。これにより、本体ケース１１および把持ケース７０の相対的な回転状態がオフ状態に移行する。
【０１２７】
オフ操作力は、把持側嵌合部分ＵＣがインナー側嵌合部分ＵＤを分離方向に乗り越えるために必要な分離方向の操作力に相当する。オフ操作力は、本体ケース１１および把持ケース７０の回転状態をオフ状態からオン状態に変更するために必要となるオン操作力よりも大きい。なお、オフ操作力は「操作力ＰＡ」に相当する。
【０１２８】
陽極金具６４（図２３参照）は、オン状態において通電金具６７（図２３参照）と接触している。陽極金具６４は、本体ケース１１および把持ケース７０の回転状態がオン状態からオフ状態に移行したとき、通電金具６７から離れるため、電気部品群６０の閉回路が遮断される（図１６参照）。このため、電動モーター４１の回転が停止する。
【０１２９】
図２７を参照して、陽極金具６４の形状について説明する。図２７（ａ）は、陽極金具６４の平面構造を示す。図２７（ｂ）は、陽極金具６４の左側面構造を示す。図２７（ｃ）は、陽極金具６４の正面構造を示す。
【０１３０】
陽極金具６４は、乾電池３（図３０参照）の陽極と接触する陽極接点部分６４Ａと、通電金具６７と接触する２つの金具接点部分６４Ｂと、把持ケース７０の固定部分７４に２つの嵌め込まれる嵌合部分６４Ｃとを有する。通電金具６７（図２９参照）は、２つの金具接点部分６４Ｂのうちの一方と接触する。
【０１３１】
各嵌合部分６４Ｃは、把持ケース７０の内面に引っ掛けられる引掛部分６４Ｄを有する。各引掛部分６４Ｄの先端部分は、先に向けて細くなる形状を有する。各金具接点部分６４Ｂは、嵌合部分６４Ｃとの接続部分から先端部分に向けて下方向ＺＢから上方向ＺＡに向けて傾斜している。各金具接点部分６４Ｂの先端部分は、通電金具６７側に向けて湾曲している。
【０１３２】
陽極接点部分６４Ａ、各嵌合部分６４Ｃ、各引掛部分６４Ｄ、および各金具接点部分６４Ｂは、連続する一枚の金属板により形成されている。陽極接点部分６４Ａは、各嵌合部分６４Ｃおよび各引掛部分６４Ｄよりも上方向ＺＡに位置する。各金具接点部分６４Ｂの先端部分は、インナーケース３０または通電金具６７（図２９参照）と接触していないとき、陽極接点部分６４Ａよりも上方向ＺＡに位置する。
【０１３３】
図２８〜図３０を参照して、把持ケース７０の電極構造の詳細について説明する。
図２８（ａ）は、陽極金具６４が取り外された状態の把持ケース７０の平面構造を示す。図２８（ｂ）は、図２２（ａ）のＤ２２Ｃ−Ｄ２２Ｃ平面の断面構造において、インナーケース３０が省略された状態を示す。図２８（ｃ）は、図２２のＤ２２Ｃ−Ｄ２２Ｃ平面の断面構造を示す。
【０１３４】
陽極金具６４の嵌合部分６４Ｃは、把持ケース７０の固定部分７４に嵌め込まれる。各引掛部分６４Ｄは、把持ケース７０の内面に押し付けられている。固定部分７４および嵌合部分６４Ｃの嵌め合わせと、把持ケース７０の内面および引掛部分６４Ｄとの接触は、把持ケース７０の下側壁部７２に対する陽極金具６４の回転および移動を規制している。なお、把持ケース７０の内面において外周壁部７１の内面から下側壁部７２の内面にかけての境界部分およびその付近の部分は、滑らかに湾曲する形状を有する。各引掛部分６４Ｄは、この湾曲した形状の部分に押し付けられている。
【０１３５】
図２８（ｂ）および図２９（ａ）に示されるように、陽極金具６４は、把持ケース７０内にインナーケース３０が挿入されていないとき、各金具接点部分６４Ｂの先端部分が陽極接点部分６４Ａおよび規制部分７５よりも上方向ＺＡに位置する。
【０１３６】
図２８（ｃ）および図２９（ｂ）に示されるように、インナーケース３０の開口部分３１Ａの壁部は、各金具接点部分６４Ｂの先端部分と接触することにより、各金具接点部分６４Ｂを下方向ＺＢに押し下げる。金具接点部分６４Ｂは、本体ケース１１に対する把持ケース７０の回転位置がオフ位置のとき、通電金具６７の折曲部分６７Ｂと接触しない。
【０１３７】
図３０（ａ）に示されるように、把持ケース７０は、電池保持部分３１に乾電池３が挿入されているインナーケース３０が挿入されたとき、陽極接点部分６４Ａと乾電池３の陽極とを互いに接触させる。
【０１３８】
図３０（ｂ）に示されるように、下側壁部７２の規制部分７５は、隙間を介して乾電池３と対向する。インナーケース３０の開口部分３１Ａの端面は、乾電池３の陽極平面３Ａよりも下方向ＺＢに位置する。通電金具６７の折曲部分６７Ｂは、開口部分２４の端面の下方向ＺＢに位置する。また、開口部分３１Ａの内面よりも外方向に位置する。すなわち、折曲部分６７Ｂは乾電池３と接触しにくい箇所に位置する。
【０１３９】
図９を参照して、電動歯ブラシ２の動作について説明する。
ユーザーは、電動歯ブラシ２の使用時にブラシヘッド５２を振動させるとき、把持ケース７０を本体ケース１１に対して結合方向に回転させる。すなわち、本体ケース１１および把持ケース７０の相対的な回転状態をオフ状態からオン状態に変更する。陽極金具６４は、オフ状態からオン状態への変更にともない通電金具６７に接触する。これにより、乾電池３と電動モーター４１とを電気的に接続する閉回路が形成される。
【０１４０】
電動モーター４１は、乾電池３から供給される電流により出力軸４２および偏芯分銅４３を回転させる。偏芯分銅４３の回転により生じる振動は、本体ケース１１を介して歯ブラシアタッチメント５０に伝達される。このため、ブラシヘッド５２および各ブリッスル束５１が電動モーター４１の回転にともない振動する。
【０１４１】
（実施形態の効果）
本実施形態の携帯型口腔衛生装置１は以下の効果を奏する。
（１）電動歯ブラシ２の本体ケース１１および把持ケース７０は、本体ケース１１と把持ケース７０との相対的な動作を可能にする把持結合構造Ｕを有する。把持結合構造Ｕは、電動モーター４１のスイッチとしての機能を有する。この構成によれば、電動モーター４１のスイッチ部品を省略することが可能となる。このため、電動歯ブラシ２の小型化に貢献する。
【０１４２】
（２）電動歯ブラシ２の歯ブラシ本体１０は、電動モーター４１のスイッチ部品をアウターケース２０の中間結合部分２２に有していない。この構成によれば、アウターケース２０の中間結合部分２２にスイッチ部品を有する構成と比較して、電動歯ブラシ２の長手方向の寸法が小さくなる。
【０１４３】
（３）把持結合構造Ｕは、本体ケース１１と把持ケース７０との相対的な回転を許容する構造を有する。この構成によれば、電動モーター４１のスイッチのオンおよびオフを選択するために把持ケース７０を操作したとき、電動歯ブラシ２の長手方向の寸法が変化しない。このため、ユーザーは電動歯ブラシ２の使用中においても小型化を実感することができる。
【０１４４】
（４）把持結合構造Ｕは、本体ケース１１と把持ケース７０との相対的な回転を許容する構造として、電動モーター４１のスイッチとして機能する下側把持結合構造ＵＹと、本体ケース１１および把持ケース７０を互いに結合および分離する上側把持結合構造ＵＸとを有する。この構成によれば、本体ケース１１および把持ケース７０の相対的な回転に対して２つの機能を持たせているため、異なる運動のそれぞれに対して上記各機能を持たせる構成と比較して、電動歯ブラシ２の小型化に貢献する。
【０１４５】
（５）下側把持結合構造ＵＹにおいて電動モーター４１の電源のオンおよびオフを変更するためのオン操作力およびオフ操作力は、上側把持結合構造ＵＸにおいて本体ケース１１および把持ケース７０を分離するための第４分離力よりも小さい。この構成によれば、電動モーター４１の電源のオンおよびオフを変更するための操作にともない、把持ケース７０が本体ケース１１から分離するおそれが小さい。
【０１４６】
（６）上側把持結合構造ＵＸは、把持ケース７０を本体ケース１１から分離するための回転方向として反転方向を有する。下側把持結合構造ＵＹは、電動モーター４１の電源をオフからオンに変更するための回転方向として正転方向を有する。この構成によれば、電動モーター４１の電源をオフからオンに変更するための動作にともない、把持ケース７０が本体ケース１１から分離することが抑制される。
【０１４７】
（７）下側把持結合構造ＵＹは、電動モーター４１の電源のオンおよびオフを変更するための操作量として第２所定操作量を有する。上側把持結合構造ＵＸは、本体ケース１１および把持ケース７０の結合および分離を変更するための操作量として第１所定操作量を有する。第２所定操作量は、第１所定操作量よりも小さい。この構成によれば、電動モーター４１の電源をオンおよびオフするための動作にともない、把持ケース７０が本体ケース１１から分離されるおそれが小さい。
【０１４８】
（８）本体ケース１１および歯ブラシアタッチメント５０は、本体ケース１１および歯ブラシアタッチメント５０の互いの結合および分離が可能な歯ブラシ結合構造Ｓを有する。歯ブラシ結合構造Ｓは、本体ケース１１と歯ブラシアタッチメント５０との長手方向の相対的な移動により本体ケース１１および歯ブラシアタッチメント５０を結合または分離する。この構成によれば、機能部品を本体ケースに対してＺ方向に移動させ、機能部品内に本体ケースの一部分を進入させ、その後に機能部品を本体ケースに回転させることにより機能部品および本体ケースを互いに結合する結合構造と比較して、本体ケース１１および歯ブラシアタッチメント５０を容易に結合することができる。なお、ここで比較例として説明した結合構造の一例としては、別構造ケースおよび歯ブラシアタッチメント５０を互いに結合および分離するための回転結合構造５５が挙げられる。
【０１４９】
（９）陽極金具６４は、把持ケース７０の下側壁部７２に固定されている。この構成によれば、本体ケース１１に対する把持ケース７０の回転にともない通電金具６７に対する陽極金具６４の位置を変更することができる。
【０１５０】
（１０）本体ケース１１は、乾電池３の陽極に接続される通電金具６７を有する。陽極金具６４は、通電金具６７に接触しない第１電極位置と、通電金具６７に接触する第２電極位置とを有する。把持結合構造Ｕは、本体ケース１１と把持ケース７０との相対的な回転により陽極金具６４の第１電極位置および第２電極位置を変更する。この構成によれば、ブラッシング時に把持する把持ケース７０の操作により電動モーター４１の電源のオフおよびオンが選択されるため、ユーザーが電動モーター４１の電源を直感的に操作することができる。
【０１５１】
（１１）把持ケース７０は、陽極接点部分６４Ａと乾電池３の陰極とが互いに接触することを規制する規制部分７５を有する。規制部分７５は、非導電性の材料により形成される。規制部分７５の先端部分は、把持ケース７０の長手方向において陽極接点部分６４Ａよりも電池保持部分３１側に位置する。この構成によれば、乾電池３の陰極が陽極金具６４と対向する状態で電池保持部分３１に収容されたとき、乾電池３の陰極が規制部分７５と接触するとともに陽極接点部分６４Ａと隙間を介して対向する。すなわち、乾電池３の陰極が陽極接点部分６４Ａと接触しない。このため、短絡の発生が抑制される。
【０１５２】
（１２）電動歯ブラシ２は、携帯用としての構造を有するため、据置型の電動歯ブラシと比較すると体格が小さい。このため、据置型の電動歯ブラシの使用になれたユーザーからすると、手に接触する電動歯ブラシ２の面積が据置型の電動歯ブラシと比較して小さいことにより、ブラッシング時において把持ケースをグリップしづらいと感じるおそれがある。一方、電動歯ブラシ２は、把持外面７０Ｚよりも外方向に突出した装飾リング１２を有する。装飾リング１２は、ユーザーの手に引っ掛かることによりユーザーの手に対して把持ケース７０がすべることを抑制する。このため、据置型の電動歯ブラシの使用になれたユーザーは、装飾リング１２をすべり止めとして把持ケース７０を持つことにより、上記の違和感を軽減することができる。
【０１５３】
（１３）特許文献１の電動歯ブラシの把持ケースは、美観を高めるため、滑らかな湾曲形状の外面を有する。このため、ブラッシング時において把持ケースがユーザーの手に対してすべる可能性がある。一方、電動歯ブラシ２は装飾リング１２を有するため、特許文献１の電動歯ブラシとして使用時の操作性が向上する。
【０１５４】
（１４）通電金具６７は、インナーケース３０の電池保持部分３１の外面に固定されている。この構成によれば、通電金具６７が陰極金具６３と接触するおそれが小さい。また、通電金具６７が電池保持部分３１の内面に固定される構成と比較して、通電金具６７を電池保持部分３１に対する作業が容易になる。
【０１５５】
（１５）電池保持部分３１は、乾電池３の差し込みおよび取り出しのための切欠部分３１Ｃを有する。この構成によれば、電池保持部分３１から乾電池３を取り出すとき、切欠部分３１Ｃにおいて露出している乾電池３の外周面を掴むことが可能になる。このため、乾電池３を電池保持部分３１から取り出す作業が容易になる。
【０１５６】
（１６）電池保持部分３１は、外方向から内方向に向けて傾斜した挟持部分３１Ｂを有する。この構成によれば、乾電池３が電池保持部分３１に差し込まれたとき、乾電池３が各挟持部分３１Ｂを外方向に押し広げるため、各挟持部分３１Ｂの復元力により電池保持部分３１に対する乾電池３の位置が変化しにくくなる。
【０１５７】
（１７）本体ケース１１は、陰極金具６３および陽極金具６４に接続される回路基板６１を有する。回路基板６１は、電流ヒューズ６２を有する。この構成によれば、乾電池３から電動モーター４１までの通電経路を容易に形成することができる。また、乾電池３に短絡が生じたとき、乾電池３に大電流が流れることを抑制することができる。
【０１５８】
（１８）通電金具６７は、直線部分６７Ａおよび折曲部分６７Ｂを有する。この構成によれば、本体ケース１１に対する把持ケース７０の回転にともない折曲部分６７Ｂが通電金具６７に接触するとき、金具のエッジ部分が通電金具６７と接触する構成と比較して、通電金具６７と接触するときに陽極金具６４が削れにくい。
【０１５９】
（１９）本体ケース１１は、アウターケース２０およびインナーケース３０の結合部分よりも上方向ＺＡに弾性部材２５を有する。すなわち弾性部材２５は、把持ケース７０の開口部分７３付近の把持内面７０Ｗと接触することにより、本体ケース１１と把持ケース７０との隙間をシールする。この構成によれば、本体ケース１１内部に異物が進入することが抑制される。また、１つの弾性部材２５により異物進入を抑制する効果が得られるため、複数の弾性部材により同様の効果を奏する構成と比較して、歯ブラシ本体１０の体格を小さくすることができる。
【０１６０】
（２０）本体結合構造Ｔは、インナーケース３０のインナー側嵌合部分ＴＡおよびアウターケース２０のアウター側嵌合部分ＴＢを有する。インナー側嵌合部分ＴＡは、インナーケース３０の基礎部分３１Ｆに対して３つの支持部分３１Ｇにより接続される。この構成によれば、インナー側嵌合部分ＴＡが支持部分３１Ｇにより基礎部分３１Ｆに接続されない構成と比較して、インナー側嵌合部分ＴＡの強度が高くなる。
【０１６１】
（２１）歯ブラシ結合構造Ｓは、上部結合部分２１のアウター側嵌合部分ＳＡおよび歯ブラシアタッチメント５０の歯ブラシ側嵌合部分ＳＢを有する。アウター側嵌合部分ＳＡは、上部結合部分２１に対する歯ブラシアタッチメント５０の回転を規制する構造を有する。この構成によれば、歯ブラシアタッチメント５０が上部結合部分２１に取り付けられた状態において、歯ブラシアタッチメント５０が上部結合部分２１に対して回転することが抑制される。
【０１６２】
（２２）アウター側嵌合部分ＳＡの直立壁部ＳＡ１は、歯ブラシアタッチメント５０に操作感を付与する機能と、歯ブラシアタッチメント５０の回転を規制する機能とを有する。この構成によれば、これらの２つの機能を個別の部品に持たせる構成と比較して、歯ブラシ結合構造Ｓを小型化することができる。
【０１６３】
（第２実施形態）
図３１に示される本実施形態の携帯型口腔衛生装置１は、図１に示される第１実施形態の携帯型口腔衛生装置１との主要な相違点として、次の相違点を有する。すなわち、第１実施形態の携帯型口腔衛生装置１の電動歯ブラシ２は、１つの機能部品として歯ブラシアタッチメント５０を有する。一方、本実施形態の携帯型口腔衛生装置１の電動歯ブラシ２は、２つの機能部品として歯ブラシアタッチメント５０およびステインケアアタッチメント１００を有する。以下では、第１実施形態の電動歯ブラシ２と異なる点の詳細を説明し、第１実施形態と共通する構成については同一の符号を付してその説明の一部または全部を省略する。
【０１６４】
図３１（ａ）は、図２（ａ）において歯ブラシアタッチメント５０をＸＺ平面で破断した電動歯ブラシ２を示す。歯ブラシ本体１０は、ステインケアアタッチメント１００を有する。ステインケアアタッチメント１００は、アウターケース２０の上部結合部分２６と結合している。また、歯ブラシアタッチメント５０内の空間に位置する。
【０１６５】
図３１（ｂ）は、図３１（ａ）において歯ブラシアタッチメント５０を省略し、かつステインケアアタッチメント１００を上部結合部分２６から分離した状態の電動歯ブラシ２を示す。上部結合部分２６は、ステインケアアタッチメント１００を嵌め込むための凹嵌合部分２６Ｂと、Ｚ方向においてステインケアアタッチメント１００を支持する先端支持部分２６Ｃとを有する。上部結合部分２６はこの他に、第１実施形態の上部結合部分２１の案内溝２１Ａと同様の形状の案内溝２６Ａと、歯ブラシアタッチメント５０の内面と上部結合部分２６の外面との隙間をシールする弾性部材２７とを有する。なお、上部結合部分２６のその他の構成は、第１実施形態の上部結合部分２１の構成と共通している。
【０１６６】
ステインケアアタッチメント１００は、凹嵌合部分２６Ｂに嵌め込まれる凸嵌合部分１０１と、歯を研磨するケア部分１０２とを有する。ケア部分１０２は、上方向ＺＡから下方向ＺＢに向かうにつれて後方向ＸＢから前方向ＸＡに傾斜する作用面１０３を有する。ステインケアアタッチメント１００の材料としては、研磨剤入りのシリコンゴムが用いられている。
【０１６７】
本体ケース１１は、ＸＹ平面に直交する中心軸を有する。ステインケアアタッチメント１００は、ＸＹ平面に直交する中心軸を有する。電動歯ブラシ２のＸＺ平面において、ステインケアアタッチメント１００の中心軸は、本体ケース１１の中心軸に対して後方向ＸＢに位置する。また、ステインケアアタッチメント１００の中心軸および本体ケース１１の中心軸は互いに平行する。
【０１６８】
（実施形態の効果）
本実施形態の携帯型口腔衛生装置１は、第１実施形態の携帯型口腔衛生装置１が奏する（１）〜（２２）の効果に加えて以下の効果を奏する。
【０１６９】
（２３）電動歯ブラシ２は、第１機能部品としての歯ブラシアタッチメント５０および第2機能部品としてのステインケアアタッチメント１００を有する。この構成によれば、１つの電動歯ブラシ２により口腔に対して２つの衛生作業を行うことができる。
【０１７０】
（２４）ステインケアアタッチメント１００は、本体ケース１１の上部結合部分２６と結合する。このため、ステインケアアタッチメント１００を上部結合部分２６と結合できない構成と比較して、同アタッチメント１００の管理が容易になる。
【０１７１】
（その他の実施形態）
本発明は、第１および第２実施形態以外の実施形態を含む。以下、本発明のその他の実施形態としての第１および第２実施形態の変形例を示す。なお、以下の各変形例は、互いに組み合わせることもできる。
【０１７２】
・第２実施形態の電動歯ブラシ２は、アウターケース２０およびステインケアアタッチメント１００を互いに結合および分離する構造を有する。一方、変形例の電動歯ブラシ２は、ステインケアアタッチメント１００がアウターケース２０に固定された構造を有する。すなわちステインケアアタッチメント１００は、アウターケース２０から分離することができない。
【０１７３】
・第２実施形態の電動歯ブラシ２は、ステインケアアタッチメント１００の凸嵌合部分１０１がアウターケース２０の上部結合部分２６に対して偏心した中心軸を有する。一方、変形例の電動歯ブラシ２は、アウターケース２０の上部結合部分２６およびステインケアアタッチメント１００の凸嵌合部分１０１が同軸を有する。
【０１７４】
・第２実施形態の電動歯ブラシ２は、第２機能部品としてステインケアアタッチメント１００を有する。一方、変形例の電動歯ブラシ２は、第２機能部品として爪磨き用アタッチメントまたは歯茎マッサージアタッチメントを有する。
【０１７５】
・第２実施形態の電動歯ブラシ２は、第１機能部品として歯ブラシアタッチメント５０を有し、第２機能部品としてステインケアアタッチメント１００を有する。一方、変形例の電動歯ブラシ２は、以下の（Ａ）〜（Ｆ）の組み合わせの第１機能部品および第２機能部品を有する。
【０１７６】
（Ａ）変形例の電動歯ブラシ２は、第１機能部品として歯ブラシアタッチメント５０を有する。また第２機能部品として、歯ブラシアタッチメント、歯茎マッサージアタッチメント、ポイント磨きブラシ、爪磨き用アタッチメント、歯磨剤チューブ、および振動調整用の鐘のいずれか１つの機能部品を有する。
【０１７７】
（Ｂ）変形例の電動歯ブラシ２は、第１機能部品として歯茎マッサージアタッチメントを有する。また、第２機能部品として、歯ブラシアタッチメント、歯茎マッサージアタッチメント、ポイント磨きブラシ、爪磨き用アタッチメント、歯磨剤チューブ、振動調整用の鐘、歯間ブラシ、およびステインケアアタッチメントのいずれか１つの機能部品を有する。
【０１７８】
（Ｃ）変形例の電動歯ブラシ２は、第１機能部品としてポイント磨きブラシを有する。また第２機能部品として、ポイント磨きブラシ、歯ブラシアタッチメント、歯茎マッサージアタッチメント、爪磨き用アタッチメント、歯磨剤チューブ、振動調整用の鐘、歯間ブラシ、およびステインケアアタッチメントのいずれか１つの機能部品を有する。
【０１７９】
（Ｄ）変形例の電動歯ブラシ２は、第１機能部品として爪磨き用アタッチメントを有する。また第２機能部品として、歯ブラシアタッチメント、歯茎マッサージアタッチメント、ポイント磨きブラシ、歯磨剤チューブ、振動調整用の鐘、歯間ブラシ、およびステインケアアタッチメントのいずれか１つの機能部品を有する。
【０１８０】
（Ｅ）変形例の電動歯ブラシ２は、第１機能部品としてステインケアアタッチメントを有する。また第２機能部品として、ステインケアアタッチメント、歯ブラシアタッチメント、歯茎マッサージアタッチメント、ポイント磨きブラシ、爪磨き用アタッチメント、歯磨剤チューブ、振動調整用の鐘、歯間ブラシ、およびペースト剤チューブのいずれか１つの機能部品を有する。
【０１８１】
（Ｆ）変形例の電動歯ブラシ２は、第１機能部品として歯間ブラシを有する。また第２機能部品として、歯間ブラシ、歯ブラシアタッチメント、歯茎マッサージアタッチメント、ポイント磨きブラシ、爪磨き用アタッチメント、歯磨剤チューブ、および振動調整用の鐘のいずれか１つの機能部品を有する。
【０１８２】
・上記（Ａ）〜（Ｆ）の変形例の電動歯ブラシ２のうちの振動調整用の錘を有する電動歯ブラシ２は、歯ブラシ本体１０および錘を互いに結合および分離する構造を有する。振動発生装置４０は、歯ブラシ本体１０に錘が結合されているとき、第１機能部品または第２機能部品に付与する振動が小さくなる。一方、歯ブラシ本体１０から錘が分離されているとき、錘が結合されているときと比較して、第１機能部品または第２機能部品に付与する振動が大きくなる。すなわち錘は、振動発生装置４０が第１機能部品または第２機能部品に付与する振動の大きさを調整する。
【０１８３】
・第２実施形態の電動歯ブラシ２は、シリコンゴムにより形成されたステインケアアタッチメント１００を有する。一方、変形例の電動歯ブラシ２は、ローレット加工が施された金属材料をステインケアアタッチメントとして有する。
【０１８４】
・第１および第２実施形態の電動歯ブラシ２は、通電金具６７と回路基板６１の出力側の陽極端子との間に電流ヒューズ６２を有する。一方、変形例の電動歯ブラシ２は、陰極金具６３と回路基板６１の出力側の陰極端子との間に電流ヒューズ６２を有する。
【０１８５】
・第１および第２実施形態の電動歯ブラシ２は、本体ケース１１とは別に構成された装飾リング１２を有する。一方、変形例の電動歯ブラシ２は、装飾リング１２に代えて、本体ケース１１の一部分として形成された装飾リング１２に相当する部分を有する。または、装飾リング１２に代えて、把持ケース７０の一部分として形成された装飾リング１２に相当する部分を有する。
【０１８６】
・第１および第２実施形態の電動歯ブラシ２は、本体ケース１１に対する把持ケース７０の回転位置がオン位置のとき、把持外面７０Ｚがキャップ外面８０Ｚに対して一体的な外面を形成しない。一方、変形例の電動歯ブラシ２は、本体ケース１１に対する把持ケース７０の回転位置がオン位置のとき、およびオフ位置のときにおいて、把持外面７０Ｚがキャップ外面８０Ｚと一体的な外面を形成する。なお、一体的な外面を形成するとは、一方の外面を延長して仮想面を形成したとき、他方の外面の全部がこの仮想面に属する状態を示す。
【０１８７】
上記変形例の一例としての電動歯ブラシ２は、キャップ８０に代えてＸＹ平面の断面形状がＮ角形のキャップを有し、把持ケース７０に代えてＸＹ平面の断面形状がＮ角形の把持ケースを有する。Ｎ角形のキャップおよびＮ角形の把持ケースは、相対的な回転位置がオフ位置のときおよびオン位置のときのそれぞれにおいて、キャップおよび把持ケースの外面が一体的な外面を形成する。このとき、オフ位置からオン位置に変更するための把持ケースの回転角度は、「３６０度／Ｎ度」により規定される。
【０１８８】
・第１および第２実施形態の電動歯ブラシ２は、把持結合構造Ｕとして本体ケース１１に対する把持ケース７０の回転が可能な構造を有する。一方、変形例の電動歯ブラシ２は、本体ケース１１に対する把持ケース７０の回転に代えてまたは加えて、本体ケース１１と把持ケース７０との長手方向における相対的な移動が可能な構造を有する。この電動歯ブラシ２は、把持ケース７０が本体ケース１１に対して長手方向の第１所定位置に位置するとき、電動モーター４１の電源をオフする。一方、把持ケース７０が本体ケース１１に対して長手方向の第２所定位置に位置するとき、電動モーター４１の電源をオンする。
【０１８９】
・第１および第２実施形態の電動歯ブラシ２の把持結合構造Ｕは、本体ケース１１に対して把持ケース７０全体が回転する構造を有する。一方、変形例の電動歯ブラシ２の把持結合構造Ｕは、本体ケース１１に対して個別に回転することが可能な２つの把持ケース（以下、「分割把持ケース」）を有する。分割把持ケースは、下側壁部７２からＺ方向の中間部分までを含む下方分割ケースと、中間部分から開口部分７３までを含む上方分割ケースとを有する。下方分割ケースおよび上方分割ケースを合わせた分割把持ケースの構成は、把持ケース７０の構成に準じている。この変形例の把持結合構造Ｕは、本体ケース１１に対して下方分割ケースが回転する構造を有する。本体ケース１１および下方分割ケースの相対的な回転状態は、本体ケース１１および把持ケース７０の相対的な回転状態と同様に分離状態、オフ状態、およびオン状態を有する。
【０１９０】
・第１および第２実施形態の電動歯ブラシ２は、アウターケース２０の上部結合部分２１内に電動モーター４１を有する。一方、変形例の電動歯ブラシ２は、中間結合部分２２内に電動モーター４１を有する。または、中間結合部分２２および下部結合部分２３にまたがり電動モーター４１を有する。
【０１９１】
・第１および第２実施形態の装飾リング１２は、携帯型口腔衛生装置１が載せられる載置面に対して装飾面１２Ｚが２点以上で接触する構造を有する。一方、変形例の装飾リング１２は、載置面に接触する平面を有する。平面は、携帯型口腔衛生装置１が載置面に対して回転することを規制する。
【０１９２】
・第１および第２実施形態の携帯型口腔衛生装置１は、電動歯ブラシ２およびキャップ８０を有する。一方、変形例の携帯型口腔衛生装置１は、キャップ８０を省略している。すなわち、電動歯ブラシ２単独が携帯型口腔衛生装置１の全体を構成する。
【０１９３】
・第１および第２実施形態では、電動歯ブラシ２の電源として乾電池３を用いている。一方、変形例の電動歯ブラシ２は電源として２次電池を用いている。
・本発明は、第１および第２実施形態に例示される携帯型口腔衛生装置１以外の他の口腔衛生装置に適用することもできる。他の口腔衛生装置としては、例えばステイン除去装置が挙げられる。ステイン除去装置は、歯を研磨する研磨部分と、研磨部分を振動させる電動モーターと、電動モーターを保持する本体ケースと、本体ケースの外面を覆う把持ケースとを有する。また本体ケースおよび把持ケースは、本体ケースと把持ケースとの相対的な動作を可能にする相対動作構造を有する。また相対動作構造は、電動モーターのスイッチとしての機能を有する。
【０１９４】
要するに、口腔に作用する機能部品と、機能部品を動作させる電動モーターと、電動モーターを保持する本体ケースと、本体ケースの外面を覆う把持ケースとを含む口腔衛生装置であれば、いずれの装置に対しても本発明を適用することができる。
【符号の説明】
【０１９５】
１    ：携帯型口腔衛生装置（口腔衛生装置）
１Ｚ  ：外面
２    ：電動歯ブラシ
２Ｚ  ：外面
３    ：乾電池
３Ａ  ：陽極平面
１０  ：歯ブラシ本体（装置本体）
１１  ：本体ケース
１２  ：装飾リング
１２Ａ：装飾部分
１２Ｚ：装飾面
２０  ：アウターケース
２０Ｚ：アウター外面
２１  ：上部結合部分
２１Ａ：案内溝
２２  ：中間結合部分
２２Ａ：固定部分
２２Ｂ：嵌合溝
２２Ｃ：対向面
２３  ：下部結合部分
２４  ：開口部分
２５  ：弾性部材
２６  ：上部結合部分
２６Ａ：案内溝
２６Ｂ：凹嵌合部分
２６Ｃ：先端支持部分
２７  ：弾性部材
３０  ：インナーケース
３０Ｚ：インナー外面
３１  ：電池保持部分
３１Ａ：開口部分
３１Ｂ：挟持部分
３１Ｃ：切欠部分
３１Ｄ：陰極嵌込部分
３１Ｅ：陽極嵌込部分
３１Ｆ：基礎部分
３１Ｇ：支持部分
３２  ：基板保持部分
３２Ａ：接続部分
３２Ｂ：引掛部分
３３  ：装置保持部分
４０  ：振動発生装置
４１  ：電動モーター（アクチュエーター）
４２  ：出力軸
４３  ：偏芯分銅
４４  ：スペーサー
５０  ：歯ブラシアタッチメント（機能部品）
５０Ｚ：歯ブラシ面
５１  ：ブリッスル束
５２  ：ブラシヘッド
５３  ：ブラシステー
５４  ：案内リブ（凸部）
５５  ：回転結合構造
５６  ：凹嵌合部分
５６Ａ：規制立面
５７  ：操作感付与部
５７Ａ：案内斜面
５７Ｂ：規制立面
５７Ｃ：中間曲面
５８  ：回転案内溝
５９  ：開口部分
６０  ：電気部品群
６１  ：回路基板
６２  ：電流ヒューズ
６３  ：陰極金具
６４  ：陽極金具
６４Ａ：陽極接点部分
６４Ｂ：金具接点部分
６４Ｃ：嵌合部分
６４Ｄ：引掛部分
６５  ：陰極リード線
６６  ：陽極リード線
６７  ：通電金具
６７Ａ：直線部分
６７Ｂ：折曲部分
７０  ：把持ケース
７０Ｗ：把持内面
７０Ｚ：把持外面
７１  ：外周壁部
７２  ：下側壁部
７２Ａ：中間凹部
７２Ｂ：溝
７２Ｃ：通気孔
７３  ：開口部分
７４  ：固定部分
７５  ：規制部分
７６  ：縦リブ
８０  ：キャップ
８０Ｗ：キャップ内面
８０Ｚ：キャップ外面
８１  ：外周壁部
８２  ：上側壁部
８２Ａ：通気孔
８３  ：接触部分
８４  ：開口部分
１００：ステインケアアタッチメント
１０１：凸嵌合部分
１０２：ケア部分
１０３：作用面
Ｒ    ：キャップ結合構造
ＲＡ  ：アウター側嵌合部分
ＲＢ  ：キャップ側嵌合部分
Ｓ    ：歯ブラシ結合構造（部品結合構造）
ＳＡ  ：アウター側嵌合部分（第１の嵌合部分）
ＳＡ１：直立壁部
ＳＡ２：結合側接触面
ＳＡ３：分離側接触面
ＳＡ４：中間凹部
ＳＢ  ：歯ブラシ側嵌合部分（第２の嵌合部分）
Ｔ    ：本体結合構造
ＴＡ  ：インナー側嵌合部分
ＴＢ  ：アウター側嵌合部分
Ｕ    ：把持結合構造
ＵＸ  ：上側把持結合構造
ＵＡ  ：把持側嵌合部分
ＵＢ  ：アウター側嵌合部分
ＵＢ１：第１回転溝
ＵＢ２：第２回転溝
ＵＢ３：境界リブ
ＵＢ４：回転規制壁部
ＵＢ５：回転規制壁部
ＵＹ  ：下側把持結合構造
ＵＣ  ：把持側嵌合部分
ＵＤ  ：インナー側嵌合部分
ＬＡ  ：突出量
ＬＢ  ：突出量
ＬＣ  ：突出量
ＬＤ  ：突出量
ＸＡ  ：前方向
ＸＢ  ：後方向
ＹＡ  ：右方向
ＹＢ  ：左方向
ＺＡ  ：上方向
ＺＢ  ：下方向
【図１】
0005927577.tif 000002
【図２】
0005927577.tif 000003
【図３】
0005927577.tif 000004
【図４】
0005927577.tif 000005
【図５】
0005927577.tif 000006
【図６】
0005927577.tif 000007
【図７】
0005927577.tif 000008
【図８】
0005927577.tif 000009
【図９】
0005927577.tif 000010
【図１０】
0005927577.tif 000011
【図１１】
0005927577.tif 000012
【図１２】
0005927577.tif 000013
【図１３】
0005927577.tif 000014
【図１４】
0005927577.tif 000015
【図１５】
0005927577.tif 000016
【図１６】
0005927577.tif 000017
【図１７】
0005927577.tif 000018
【図１８】
0005927577.tif 000019
【図１９】
0005927577.tif 000020
【図２０】
0005927577.tif 000021
【図２１】
0005927577.tif 000022
【図２２】
0005927577.tif 000023
【図２３】
0005927577.tif 000024
【図２４】
0005927577.tif 000025
【図２５】
0005927577.tif 000026
【図２６】
0005927577.tif 000027
【図２７】
0005927577.tif 000028
【図２８】
0005927577.tif 000029
【図２９】
0005927577.tif 000030
【図３０】
0005927577.tif 000031
【図３１】
0005927577.tif 000032